(57)【要約】【課題】  特に従来に比べて、押圧操作領域での誤操作を抑制できる入力装置を提供することを目的としている。【解決手段】  操作面は、押圧操作領域とスライド操作領域とを有している。操作位置検知部により、操作面を操作する操作体が一つであって押圧操作領域で検知されたとき、操作体の第１の平面移動量が第１の閾値以下の場合には操作処理を実行せず、第１の平面移動量が第１の閾値を上回る場合には、操作処理を実行する。また前記操作面を操作する操作体が複数であって、少なくとも一つの操作体が前記押圧操作領域で検知されたとき、押圧操作領域で検知された操作体の第２の平面移動量が第２の閾値以下の場合には操作処理を実行せず、第２の平面移動量が第２の閾値を上回る場合には操作処理を実行する。このとき、第２の閾値は前記第１の閾値よりも大きい値に設定される。【選択図】図４
2014182473.tif 000002
【特許請求の範囲】
【請求項１】
操作面と、前記操作面への操作体の操作位置を検知する操作位置検知部と、前記操作面が押されたことを検知する押圧検知部と、前記操作位置検知部からの操作位置検知信号及び前記押圧検知部からの押圧検知信号をそれぞれ受ける制御部と、を有しており、
前記操作面は、押圧操作領域と、スライド操作領域とを有し、
前記操作位置検知部により、前記操作面を操作する前記操作体が一つであって前記押圧操作領域で検知されたとき、前記制御部では、前記操作体の前記操作位置検知信号に基づく第１の平面移動量が第１の閾値以下の場合には、前記第１の平面移動量に基づく平面操作入力信号を出力せず、前記第１の平面移動量が前記第１の閾値を上回る場合には、前記第１の平面移動量に基づく平面操作入力信号を出力し、
前記操作位置検知部により、前記操作面を操作する前記操作体が複数であって、少なくとも一つの前記操作体が前記押圧操作領域で検知されたとき、前記制御部では、前記押圧操作領域で検知された前記操作体の前記操作位置検知信号に基づく第２の平面移動量が第２の閾値以下の場合には、前記第２の平面移動量に基づく平面操作入力信号を出力せず、前記第２の平面移動量が前記第２の閾値を上回る場合には、前記第２の平面移動量に基づく平面操作入力信号を出力し、
前記第２の閾値は前記第１の閾値よりも大きいことを特徴とする入力装置。
【請求項２】
前記操作面を操作する前記操作体が複数あり、前記押圧操作領域で検知された第１の操作体と、前記第１の操作体以外の前記操作体との間の距離が所定値以上であるときに、前記第２の閾値が、前記第１の閾値よりも大きく設定される請求項１記載の入力装置。
【発明の詳細な説明】
【技術分野】
【０００１】
本発明は、操作面と、静電容量式センサなどの操作位置検知部と、機械式スイッチなどの押圧検知部とを備えた入力装置に係り、特に操作面の一部であって押圧操作が行なわれることの多い領域での平面方向に対する入力感度を調整した入力装置に関する。
【背景技術】
【０００２】
以下の特許文献１に記載された入力装置は、キーボード入力装置の手前に入力パッドが設けられている。入力パッドの表面の操作面を指などで操作したとき、その操作位置は例えば入力パッドに設定された静電容量センサにより検知することが可能とされる。また、入力パッドを上下に動かすことができ、入力パッドの下部に押圧検知スイッチが設けられている。よって入力パッドを下方に押圧したときに押圧検知スイッチがオン状態になり、これにより押圧操作を検知することができる。
【０００３】
この入力装置では、操作面に指を触れて平面方向に操作すると静電容量センサにより指の操作位置信号が出力され、制御部では、前記操作位置信号に基づいてスライド操作入力信号を出力する。入力装置を組み込んだ電子機器では、前記スライド操作入力信号に基づいて、例えば、表示画面のカーソルを移動させる操作処理を実行する。
【０００４】
操作面全域を静電容量センサによる操作位置検知領域として使用できるとともに、操作面全域を押圧操作が可能な領域として設定している。そして指により操作面が下方に押圧されると、押圧検知スイッチがオン状態に切り換えられ、制御部では、押圧検知スイッチがオンとなったことで、押圧操作入力信号を出力する。この押圧操作入力信号は、従来のマウスや従来の入力パッドに併設されているＬボタンやＲボタンが押されたときと同じ入力信号が生成される。
【先行技術文献】
【特許文献】
【０００５】
【特許文献１】特開２００７−３０４７５７号公報
【発明の概要】
【発明が解決しようとする課題】
【０００６】
図１１に示すように操作面１は、押圧操作が行なわれることの多い押圧操作領域１ａと、スライド操作が行なわれることの多い領域１ｂとに区分けされている。図１１に示すように、押圧操作領域１ａを指Ｆで下方に押圧すると、押圧検知スイッチがオンになって、押圧操作入力信号が出力される。
【０００７】
しかしながら、図１１の点線に示すように押圧しながら、意図せずに指Ｆがスライド移動してしまうと、指Ｆのスライド移動が静電容量式センサによって検知され、制御部ではスライド操作入力信号を出力してしまう。この結果、表示画面のカーソルが意図せず動いてしまうなどの誤操作が生じることがあった。また指Ｆが動いていない場合でも押圧操作により指Ｆの操作面１に対する接触面積が大きくなり、この接触面積の変化に対して静電容量式センサでは、あたかも指がスライド移動しているとの誤った検知結果が出され、それにより制御部ではスライド操作入力信号を出力してしまうこともある。
【０００８】
また図１２に示すように、操作面１上に複数の指Ｆ１，Ｆ２を置いて操作することがある。図１２では、第１の指（親指）Ｆ１が押圧操作領域１ａ上にあり、第２の指（人差し指）Ｆ２がスライド操作領域１ｂ上にある。図１２では、第１の指Ｆ１を押圧操作領域１ａに置いて第２の指Ｆ２をスライド操作領域１ｂ上でスライド移動させるポインタ移動操作を行っている。
【０００９】
しかしながら第２の指Ｆ２のスライド移動につられて意図せずに第１の指Ｆ１もスライド移動してしまうことがあり、このとき、第１の指Ｆ１のスライド移動が静電容量式センサによって検知され、制御部では第１の指Ｆ１に対するスライド操作入力信号を出力してしまう。この結果、表示画面では意図したポインタ移動とは異なるポインタ移動又は予期せぬジェスチャー表示がなされるなどの誤操作が生じることがあった。
【００１０】
特に図１２のように複数本の指Ｆ１，Ｆ２で操作する場合は、図１１のように１本の指Ｆで操作する場合に比べて、押圧操作領域１ａに位置する第１の指Ｆ１の意図しない平面移動量が大きくなりやすかった。
【００１１】
そこで本発明は上記従来の課題を解決するものであり、特に従来に比べて、押圧操作が行なわれることの多い領域での誤操作を抑制できる入力装置を提供することを目的としている。
【課題を解決するための手段】
【００１２】
本発明の入力装置は、
操作面と、前記操作面への操作体の操作位置を検知する操作位置検知部と、前記操作面が押されたことを検知する押圧検知部と、前記操作位置検知部からの操作位置検知信号及び前記押圧検知部からの押圧検知信号をそれぞれ受ける制御部と、を有しており、
前記操作面は、押圧操作領域と、スライド操作領域とを有し、
前記操作位置検知部により、前記操作面を操作する前記操作体が一つであって前記押圧操作領域で検知されたとき、前記制御部では、前記操作体の前記操作位置検知信号に基づく第１の平面移動量が第１の閾値以下の場合には、前記第１の平面移動量に基づく平面操作入力信号を出力せず、前記第１の平面移動量が前記第１の閾値を上回る場合には、前記第１の平面移動量に基づく平面操作入力信号を出力し
前記操作位置検知部により、前記操作面を操作する前記操作体が複数であって、少なくとも一つの前記操作体が前記押圧操作領域で検知されたとき、前記制御部では、前記押圧操作領域で検知された前記操作体の前記操作位置検知信号に基づく第２の平面移動量が第２の閾値以下の場合には、前記第２の平面移動量に基づく平面操作入力信号を出力せず、前記第２の平面移動量が前記第２の閾値を上回る場合には、前記第２の平面移動量に基づく平面操作入力信号を出力し、
前記第２の閾値は前記第１の閾値よりも大きいことを特徴とするものである。
【００１３】
本発明では、閾値を設定して、押圧操作領域での操作体の平面移動量が閾値以下のときは、平面移動量に基づく平面操作入力信号を出力せず、平面移動量が閾値を上回るときは、平面移動量に基づく平面操作入力信号を出力することとした。すなわち本発明では、従来に比べて押圧操作領域での平面方向に対する入力感度を鈍くさせており（低下させており）、これにより、例えば押圧操作領域を操作体で押圧操作した段階で操作体が多少スライド移動しても、その際の平面移動量が閾値よりも小さい場合には、スライド移動を無視することで従来に比べて誤操作を抑制することが可能になる。
【００１４】
また操作面を操作する操作体の数が複数の場合は、操作体が１つの場合に比べて、押圧操作領域を操作する操作体の意図しない平面移動量が大きくなりやすいことから、操作体が複数検知されたときに設定される第２の閾値を、操作体が１つ検知されたときに設定される第１の閾値よりも大きくした。これにより、操作体の数にかかわらず、押圧操作領域での誤操作を効果的に抑制することが可能になる。
【００１５】
また本発明では、前記操作面を操作する前記操作体が複数あり、前記押圧操作領域で検知された第１の操作体と、前記第１の操作体以外の前記操作体との間の距離が所定値以上であるときに、前記第２の閾値が、前記第１の閾値よりも大きく設定されることが好ましい。このように操作体の数が複数であるとき、第１の操作体と、それ以外の操作体との距離が所定値以上であるとき、前記第２の閾値を、前記第１の閾値よりも大きく設定することで、各操作体がそれほど離れていない場合（所定値以下の場合）には、第２の閾値を第１の閾値と同じ大きさに設定することができる。このように操作体が複数検知されても、押圧操作領域で検知された第１の操作体と、第１の操作体以外の操作体との間の距離に応じて、閾値の大きさを変更することができる。これにより、押圧操作領域での操作性と誤操作の抑制とを効果的に向上させることが可能になる。
【発明の効果】
【００１６】
本発明では、閾値を設定して、押圧操作領域での操作体の平面移動量が閾値以下のときは、平面移動量に基づく平面操作入力信号を出力せず、平面移動量が閾値を上回るときは、平面移動量に基づく平面操作入力信号を出力することとした。すなわち本発明では、従来に比べて押圧操作領域での平面方向に対する入力感度を鈍くさせており（低下させており）、これにより、例えば押圧操作領域を操作体で押圧操作した段階で操作体が多少スライド移動しても、その際の平面移動量が閾値よりも小さい場合には、スライド移動を無視することで従来に比べて誤操作を抑制することが可能になる。
【００１７】
また操作面を操作する操作体の数が複数の場合は、操作体が１つの場合に比べて、押圧操作領域を操作する操作体の意図しない平面移動量が大きくなりやすいことから、操作体が複数検知されたときに設定される第２の閾値を、操作体が１つ検知されたときに設定される第１の閾値よりも大きくした。これにより、操作体の数にかかわらず、押圧操作領域での誤操作を効果的に抑制することが可能になる。
【図面の簡単な説明】
【００１８】
【図１】図１は、本発明の実施の形態の入力装置をキーボード入力装置と共に示す平面図である。
【図２】図２は、図１のＩＩ−ＩＩ線の断面図である。
【図３】図３は、本発明の実施の形態の入力装置のブロック図である。
【図４】図４は、押圧操作領域での操作に対する処理動作を説明するためのフローチャートである。
【図５】図５は、指（操作体）をスライド操作領域上に接触させた状態を示す平面図である。
【図６】図６は、１本の指（操作体）を押圧操作領域上に接触させた状態を示し、特に本発明の実施の形態における第１の閾値を説明するための平面図である。
【図７】図７は、２本の指（操作体）を操作面上に接触させた状態を示し、特に押圧操作領域上に接触した親指の平面移動に対する第２の閾値を説明するための平面図である。
【図８】図８は、２本の指（操作体）を操作面上に接触させた状態を示し、特に図７とは異なる大きさの閾値を設定した状態を示す平面図である。
【図９】図９は、３本の指（操作体）が、操作面上に接触した状態を示し、そのうち１本の指が押圧操作領域上にあり、残り２本の指がスライド操作領域上にある状態を示す平面図である。
【図１０】図１０は、２本の指（操作体）が押圧操作領域上に接触した状態を示す平面図である。
【図１１】図１１は、従来の入力装置において、押圧操作領域を指で押圧操作した際の問題点を説明するための平面図である。
【図１２】図１２は、従来の入力装置において、２本の指が操作面上に接触しており、そのうち１本の指が押圧操作領域上にあり、もう１本の指がスライド操作領域上にあるときの問題点を説明するための平面図である。
【発明を実施するための形態】
【００１９】
図１と図２に示す入力装置１５は、パーソナルコンピュータの操作盤や、ゲーム装置やテレビジョンの操作装置などの各種の情報入力装置に装備される。以下の実施の形態では、入力装置（タッチパッド）１５がパーソナルコンピュータの操作盤に装備されているものとして説明する。
【００２０】
パーソナルコンピュータの操作盤には入力装置１５の他にキーボード入力装置１０等が設けられている。
【００２１】
キーボード入力装置１０には、多数の入力キー１１が規則的に配列している。図２に示すように、基板２に、複数のキースイッチ１２が配列されており、それぞれのキースイッチ１２が入力キー１１によって操作される。
【００２２】
図２に示すように、入力装置１５は、入力パッド２０を有しており、入力パッド２０は可動可能に支持されている。入力パッド２０の表面には操作位置検知部として機能するシート状の位置検知センサ２４が貼着されている。そして位置検知センサ２４の表面が操作面２５である。入力パッド２０の裏面側に位置検知センサ２４が配置された構成であってもよい。図１に示すように、入力パッド２０は、キーボード入力装置１０よりも操作者に近い手前側に配置されている。操作面２５は矩形状である。ただし、操作面２５が円形や楕円形などであってもよい。
【００２３】
図２に示すように、基板２の上に、押圧検知部として機能する機械式の押圧検知スイッチ２２が設置されており、そのアクチュエータ２２ａが、入力パッド２０の下面に対向している。基板２と入力パッド２０との間に圧縮コイルスプリングで形成された補強ばねＳが設けられており、補強ばねＳと押圧検知スイッチ２２のアクチュエータの押圧抵抗力とで、入力パッド２０が押されたときに適度な抵抗力が発揮される。
【００２４】
図１に示すように操作面２５は、手前側の押圧操作領域２５ａと奥側のスライド操作領域２５ｂとで構成される。押圧操作領域２５ａはスライド操作領域２５ｂよりも小さい領域となっているが面積の大小については特に限定されるものでない。また操作面２５を押圧操作領域２５ａとスライド操作領域２５ｂとを手前側と奥側とで二分したが、操作面２５上のどの位置に各領域２５ａ，２５ｂを設けるかについては任意に決定できる。図１では、押圧操作領域２５ａとスライド操作領域２５ｂとの境界部分を点線で示した。これは操作面２５には各領域２５ａ，２５ｂが明示されていないことを示す。ただし操作面２５に線を明記するなどして押圧操作領域２５ａとスライド操作領域２５ｂとに区分されていることを操作者にわかるように表示してもよい。
【００２５】
押圧操作領域２５ａを指（操作体）で下方に押圧すると、入力パッド２０が回動し、押圧検知スイッチ２２がオフ状態からオン状態に切り換えられる。なお、押圧検知部として、機械式の押圧検知スイッチ２２ではなく、操作面２５が押されたときに入力パッド２０の歪みを検知する歪み検知素子などであってもよい。
【００２６】
入力パッド２０の表面に設けられて操作位置検知部として機能する位置検知センサ２４は例えば静電容量式センサである。位置検知センサ２４は、例えば可撓性のシート状であり、入力パッド２０の表面に接着などの手段で固定されている。
【００２７】
位置検知センサ２４は、例えば、所定の誘電率を有する絶縁性の樹脂フィルムの一方の面に複数のＸ電極が平行に設けられ、他方の面に前記Ｘ電極と直交する複数のＹ電極が平行に形成された構成である。位置検知センサ２４の最表面には、例えば樹脂フィルムのカバー層が設けられている。
【００２８】
指が操作面２５上に触れると、指とＸ電極との間の静電容量変化、及び指とＹ電極との間の静電容量変化に基づいて、指の操作位置検知信号をＸＹ座標情報として取得することができる。
【００２９】
図３に示すように入力装置１５は、入力パッド２０、操作位置検知部としての位置検知センサ２４、押圧検知部としての押圧検知スイッチ２２、及び制御部２６を有して構成される。
【００３０】
図３に示すように制御部２６は、位置検知センサ２４及押圧検知スイッチ２２の双方に接続されている。
【００３１】
制御部２６は、位置検知センサ２４から操作位置検知信号Ｓ１を受け取り、また押圧検知スイッチ２２から押圧検知信号Ｓ２を受け取る。押圧検知スイッチ２２がオン状態になって押圧検知信号Ｓ２が得られたときは、制御部２６は、押圧操作入力信号Ｓ３を本体制御部２７に出力する。本体制御部２７は、パーソナルコンピュータの本体機器側にて構成される制御部であり、本体制御部２７では押圧操作入力信号Ｓ３に基づいて表示画面２８を押圧操作に対応した表示に変更する。
【００３２】
一方、制御部２６では、位置検知センサ２４の操作位置検知信号Ｓ１に基づいて、スライド操作入力信号Ｓ４を生成し、スライド操作入力信号Ｓ４を本体制御部２７に送信する。本体制御部２７では、スライド操作入力信号Ｓ４に基づいて表示画面２８をスライド操作に対応した表示に変更する。
【００３３】
なお、スライド操作領域２５ｂとは、スライド操作が行なわれることの多い領域であるが、この領域で押圧操作しても押圧検知スイッチ２２はオンになり、押圧検出を行なうことができる。
【００３４】
なお、押圧操作領域２５ａ上を指でスライド操作した場合には、位置検知センサ２４から得られる操作位置検知信号Ｓ１に基づいて制御部２６では、スライド操作入力信号（平面操作入力信号）Ｓ４を本体制御部２７に出力する。
すなわち操作面２５の全域がスライド操作および押圧操作が可能である。
【００３５】
ただし本実施形態では、スライド操作の入力感度を、スライド操作領域２５ｂに比べて押圧操作領域２５ａでやや鈍くしており、押圧操作領域２５ａでの意図しないスライド移動による誤操作を抑制している。押圧操作領域２５ａにおける入力感度の制御方法について図４のフローチャートを示して説明する。
【００３６】
まず図４のステップＳＴ１では、指を押圧操作領域２５ａで検出したか否かを制御部２６にて判断する。制御部２６では、位置検知センサ２４から得られた操作位置検知信号Ｓ１に基づいて指が押圧操作領域２５ａにあるか否かを判断できる。
【００３７】
例えば図５に示すように、指Ｆが操作面２５のスライド操作領域２５ｂ上にあるときは、ステップＳＴ１からステップＳＴ２に移行する。ステップＳＴ２では指移動フラグを「ＯＦＦ」にする。指移動フラグとは、押圧操作領域２５ａでのスライド操作に関するフラグであり、指移動フラグがＯＦＦの状態とは、押圧操作領域２５ａでスライド操作されている指は存在しない状態を指す。
【００３８】
図５に示す指Ｆを操作面２５上でスライド操作することで、制御部２６から本体制御部２７にスライド操作入力信号Ｓ４が出力され、スライド操作入力信号Ｓ４に基づいて、例えば表示画面２８内のカーソルがスライド移動するように制御される。
【００３９】
ここで図５に示す指Ｆは、スライド操作領域２５ｂ上にあるが、スライド操作によって指Ｆが押圧操作領域２５ａに入った場合はステップＳＴ１からステップＳＴ３に移行することになる。
【００４０】
図６では、指Ｆが、押圧操作領域２５ａ上に位置している。図６は、例えば、操作面２５上に指Ｆがない状態から最初に指Ｆを置いた位置が押圧操作領域２５ａである場合や、スライド操作領域２５ｂから押圧操作領域２５ａに指Ｆをスライド操作したときの状態を示している。図６では、押圧操作領域２５ａ上に指Ｆがあるので図４のステップＳＴ１からステップＳＴ３に移行する。
【００４１】
図４のステップＳＴ３では、操作面２５に複数の指を検出したか否かを判断する。制御部２６では、位置検知センサ２４からの操作位置検知信号Ｓ１に基づいて、操作面２５上を操作する指の数を検出することができる。図６では、操作面２５を操作する指Ｆは１本であるからステップＳＴ４に移行する。ステップＳＴ４では、第１の閾値を４ｍｍと設定する。ただし、「４ｍｍ」とはあくまで一例に過ぎず、閾値をどの程度の大きさに設定するかについては任意に決定することができる。第１の閾値はステップＳＴ３で操作面２５に１本の指が検知されたときに設定される条件である。
【００４２】
ここで「閾値」とは、押圧操作領域２５ａに位置する指Ｆのスライド移動量（平面移動量）と比較するための基準長さ（基準距離）である。
【００４３】
図６に示すように、指Ｆの基準点Ｏ１から第１の閾値Ｔ１を設定する。基準点Ｏ１とは、例えば操作面２５上に接触している指Ｆの接触領域の中心位置であり、それは位置検知センサ２４の静電容量変化に基づいて設定することが可能である。接触領域内のどの位置を基準点Ｏ１とするかは任意に決定できる。
【００４４】
図６に示すように、基準点Ｏ１から第１の閾値Ｔ１を半径とした仮想円２９を想定する。
【００４５】
図４に示すようにステップＳＴ４の次にステップＳＴ５に移行する。ステップＳＴ５では、指移動フラグがＯＮか否かを判断する。この時点では、移動指フラグはＯＮではなくＯＦＦの状態であるためステップＳＴ６に移行する。
【００４６】
ステップＳＴ６では、図６に示すように、押圧操作領域２５ａにある指Ｆのスライド移動量Ｌ１（第１のスライド移動量）が第１の閾値Ｔ１以下であるか否かを判断する。
【００４７】
例えば操作者が図６の状態で指Ｆにより押圧操作領域２５ａ上を押圧操作したとき、意図せず指Ｆが操作面２５上をスライド移動した場合、位置検知センサ２４の操作位置検知信号Ｓ１に基づいて制御部２６では、指Ｆのスライド移動量Ｌ１が検出される。また、押圧操作により指Ｆの接触面積が徐々に大きくなり、この接触面積の変動に伴って、位置検知センサ２４の操作位置検知信号Ｓ１が変動し、変動する操作位置検知信号Ｓ１に基づいて制御部２６では、指Ｆのスライド移動量Ｌ１を検出することもある。ただし後者は実際には指Ｆはスライド移動していないので検出の誤認に該当する。
【００４８】
指Ｆのスライド移動量Ｌ１が第１の閾値Ｔ１以下であるとき、すなわち指Ｆの移動が図６の仮想円２９内に収まっている場合には、ステップＳＴ６からステップＳＴ７に移行し、指移動フラグをＯＦＦに設定する。
【００４９】
ここで指移動フラグがＯＦＦの状態とは、既に記載したように、押圧操作領域２５ａでスライド操作されている指は存在しない状態を指す。
【００５０】
すなわち図６に示す指Ｆが第１の閾値Ｔ１内で動いても、それは意図したスライド操作とみなさず、図４のステップＳＴ８にあるように、指移動フラグがＯＦＦの状態にある指Ｆはポインティングやジェスチャー判定には使用されない。したがって指Ｆが第１の閾値Ｔ１内で動いても、表示画面２８内のカーソルが動いてしまうなどの誤操作を防止することが可能である。
【００５１】
一方、ステップＳＴ６で、指Ｆのスライド移動量Ｌ１が、第１の閾値Ｔ１を上回った場合、ステップＳＴ９に移行し、指移動フラグをＯＮに設定する。ここで指移動フラグがＯＮの状態とは、押圧操作領域２５ａに位置する指が意図的にスライド操作されている状態であることを指す。押圧操作領域２５ａは押圧操作可能な領域であるがスライド操作領域２５ｂと合わせてスライド操作が可能な領域でもあるため、操作者は押圧操作領域２５ａを用いてスライド操作を実行する場合がある。
【００５２】
押圧操作領域２５ａでは、第１の閾値Ｔ１が設定されているため、指Ｆのスライド移動量Ｌ１が第１の閾値Ｔ１を超えない限り、制御部２６はスライド操作入力信号Ｓ４を本体制御部２７に出力しないが、指Ｆのスライド移動量Ｌ１が第１の閾値Ｔ１を超えると、指移動フラグがＯＮになり、制御部２６はスライド操作入力信号Ｓ４を本体制御部２７に出力するので、例えば押圧操作領域２５ａでの操作に合わせて、表示画面２８のカーソルを移動させる操作処理を実行することが可能になる。
【００５３】
このように押圧操作領域２５ａでは第１の閾値Ｔ１が設定されている分、閾値を設定していないか、あるいは閾値Ｔ１よりも小さい閾値が設定されたスライド操作領域２５ｂに比べてスライド操作に対する入力感度は落ちるが、押圧操作領域２５ａで第１の閾値Ｔ１を超えるスライド移動量Ｌ１が認められれば、スライド操作領域２５ｂでのスライド操作と同様の操作処理（スライド移動に合わせてカーソルを移動させるなど）を実行することができる。
【００５４】
図６では、基準点Ｏ１から第１の閾値Ｔ１を半径とした仮想円２９を想定し、この仮想円２９内で指Ｆがスライド移動している分には、指移動フラグをＯＦＦ（ステップＳＴ７）にして、押圧操作領域２５ａでスライド操作されている指は存在しないと判断することもできるし、あるいは仮想円２９を想定せず、指Ｆのスライド移動量Ｌ１を累積し、その累積値を第１の閾値Ｔ１と比較することもできる。すなわち累積値が第１の閾値Ｔ１を超えたとき、スライド操作入力信号Ｓ４を本体制御部２７に送信する。
【００５５】
次に、図７に示すように操作面２５上に複数の指Ｆ１，Ｆ２が検知された場合について考察する。
【００５６】
図７に示すように操作面２５上に２本の指Ｆ１，Ｆ２が位置検知センサ２４の操作位置検知信号Ｓ１に基づき検知されたとする。このとき第１の指Ｆ１（親指）が押圧操作領域２５ａで検知され、第２の指Ｆ２（人差し指）がスライド操作領域２５ｂで検知されたとする。
【００５７】
図４のフローチャートに照らしてみると、位置検知センサ２４の検知結果により、ステップＳＴ１からステップＳＴ３に移行し、ステップＳＴ３では操作面２５に複数本の指Ｆ１，Ｆ２を検知したので、ステップＳＴ１０に移行する。
【００５８】
ステップＳＴ１０では第２の閾値を８ｍｍと設定する。ただし「８ｍｍ」は一例にすぎず、第２の閾値の大きさを任意に決定することができる。第２の閾値は、ステップＳＴ３で複数本の指を検知したときに設定されるパラメータである。
【００５９】
第２の閾値は第１の閾値よりも大きい値に設定される。その理由は、操作面２５上に複数の指が存在する場合のほうが、押圧操作領域２５ａ上にある第１の指Ｆ１の意図しないスライド移動量Ｌ２（第２のスライド移動量）が大きくなりやすいためである。
【００６０】
図７に示すように、第１の指Ｆ１の基準点Ｏ２から第２の閾値Ｔ２を設定する。基準点Ｏ２を基準点Ｏ１と同様に設定することが可能である。
【００６１】
例えば、図７に示すように、基準点Ｏ２から第２の閾値Ｔ２を半径とした仮想円３０を想定する。
【００６２】
次に図４に示すようにステップＳＴ１０からステップＳＴ５に移行する。ステップＳＴ５では、指移動フラグがＯＮか否かを判断する。指移動フラグがＯＮでなければステップＳＴ６に移行する。
【００６３】
ステップＳＴ６では、押圧操作領域２５ａにある第１の指Ｆ１のスライド移動量Ｌ２が第２の閾値Ｔ２以下であるか否かを判断する。
【００６４】
例えば操作者が図７の状態で第１の指Ｆ１を押圧操作領域２５ａ上に置いたまま、第２の指Ｆ２を操作面２５上でスライド移動させているとする。このようなジェスチャー操作の際、本来動かさないはずの第１の指Ｆ１が第２の指Ｆ２の動きにつられてスライド移動した場合、位置検知センサ２４の操作位置検知信号Ｓ１に基づいて制御部２６では、第１の指Ｆ１のスライド移動量（平面移動量）Ｌ２が検出される。
【００６５】
第１の指Ｆ１のスライド移動量Ｌ２が第２の閾値Ｔ２以下であるとき、すなわち第１の指Ｆ１の移動が図７の仮想円３０内に収まっている場合には、ステップＳＴ６からステップＳＴ７に移行し、指移動フラグをＯＦＦに設定する。
【００６６】
ここで指移動フラグがＯＦＦの状態とは、既に記載したように、押圧操作領域２５ａでスライド操作されている指は存在しない状態を指す。
【００６７】
すなわち図７に示す第１の指Ｆ１が第２の閾値Ｔ２内で動いても、それは意図したスライド操作とみなさず、図４のステップＳＴ８にあるように、指移動フラグがＯＦＦの状態にある第１の指Ｆ１はポインティングやジェスチャー判定には使用されない。
【００６８】
一方、ステップＳＴ６で、第１の指Ｆ１のスライド移動量Ｌ２が、第２の閾値Ｔ２を上回った場合、ステップＳＴ９に移行し、指移動フラグをＯＮに設定する。ここで指移動フラグがＯＮの状態とは、押圧操作領域２５ａに位置する指が意図的にスライド操作されている状態であることを指す。
【００６９】
図７では、基準点Ｏ２から第２の閾値Ｔ２を半径とした仮想円３０を想定し、この仮想円３０内で第１の指Ｆ１がスライド移動している分には、指移動フラグをＯＦＦ（ステップＳＴ７）にして、押圧操作領域２５ａでスライド操作されている指は存在しないと判断することもできるし、あるいは仮想円３０を想定せず、第１の指Ｆ１のスライド移動量Ｌ２を累積し、その累積値を第２の閾値Ｔ２と比較することもできる。
【００７０】
また図８に示すように操作面２５上に複数の指Ｆ１，Ｆ２が検知され、そのうち第１の指Ｆ１が押圧操作領域２５ａにて検知され、第２の指Ｆ２がスライド操作領域２５ｂにて検知されたとき、位置検知センサ２４の操作位置検知信号Ｓ１に基づいて図８における複数の指Ｆ１，Ｆ２の間の距離Ｌ４が所定値以下である場合には、第２の閾値を第１の閾値Ｔ１と同じ大きさに設定することもできる。すなわち図７に示すように、複数の指Ｆ１，Ｆ２の間の距離Ｌ３が所定値よりも大きくなった場合に、第１の閾値Ｔ１よりも大きい第２の閾値Ｔ２を設定するように制御してもよい。これは、図８のように複数の指Ｆ１，Ｆ２の間の距離Ｌ４がそれほど離れていない場合には、第２の指Ｆ２をスライド移動させても、それにつられて移動する第１の指Ｆ１のスライド移動量Ｌ２は図７の場合よりも小さくなりやすいため、複数の指Ｆ１，Ｆ２の間の距離Ｌ４が所定値以下であれば第１の閾値Ｔ１と同様の大きさに設定することが可能である。
【００７１】
また図７，図８では操作面２５上に接触した指Ｆ１，Ｆ２の本数は２本であったが、図９に示すように３本以上の指Ｆ１，Ｆ２，Ｆ３が操作面２５上に接触していてもよい。
【００７２】
図９に示すように３本の指Ｆ１，Ｆ２，Ｆ３が操作面２５に存在し、そのうち第１の指Ｆ１が押圧操作領域２５ａに検知され、残り２本の指Ｆ２，Ｆ３がスライド操作領域２５ｂにて検知されたとき、各指の間の距離は、押圧操作領域２５ａに位置する第１の指Ｆ１と、スライド操作領域２５ｂに位置する第２の指Ｆ２との間の距離Ｌ５及び、押圧操作領域２５ａに位置する第１の指Ｆ１と、スライド操作領域２５ｂに位置する第３の指Ｆ３との間の距離Ｌ６の平均距離が所定値以上である場合に、第２の閾値Ｔ２を設定し、所定値を下回る場合には第１の閾値Ｔ１と同じ大きさの閾値を設定するようにしてもよい。あるいは平均距離でなく、押圧操作領域２５ａに位置する指Ｆ１から最も遠い位置にある第３の指Ｆ３との間の距離Ｌ６を所定値と対比させて、閾値の大きさを決定することができる。
【００７３】
なお複数の指が操作面２５上に存在し、そのうち少なくとも１本の指（第１の指）が押圧操作領域２５ａに位置する場合には、必ず第１の閾値Ｔ１よりも大きい第２の閾値Ｔ２が設定されるように制御してもよい。
【００７４】
また第２の閾値Ｔ２については、複数の指の間の距離に応じて、可変にすることも可能である。すなわち指の間の距離が離れれば離れるほど第２の閾値Ｔ２が大きくなるように設定することができる。
【００７５】
図７ないし図９では複数の指のうち１本の第１の指Ｆ１が押圧操作領域２５ａにて検知された構成であるが、図１０に示すように、複数本の指Ｆ１，Ｆ２が押圧操作領域２５ａにて検知された場合であっても、各指Ｆ１，Ｆ２に対して第２の閾値Ｔ２を設定する。そして各指Ｆ１，Ｆ２のスライド移動量Ｌ２が第２の閾値Ｔ２以下であるか否かを検知し（ステップＳＴ６）、スライド移動量Ｌ２が第２の閾値Ｔ２以下であるときは指移動フラグをＯＦＦにし、スライド移動量Ｌ２が第２の閾値Ｔ２を上回った場合には指移動フラグをＯＮに設定する。
【００７６】
また、入力パッド２０に設置される操作位置検知部は、静電容量式センサに限られず、抵抗検知式センサであってもよい。
【符号の説明】
【００７７】
Ｆ１〜Ｆ３  指
Ｌ１、Ｌ２  スライド移動量
Ｌ３〜Ｌ６  距離
Ｓ１  操作位置検知信号
Ｓ２  押圧検知信号
Ｓ３  押圧操作入力信号
Ｓ４  スライド操作入力信号
Ｔ１  第１の閾値
Ｔ２  第２の閾値
１５  入力装置
２０  入力パッド
２２  押圧検知スイッチ
２４  位置検知センサ
２５  操作面
２５ａ  押圧操作領域
２５ｂ  スライド操作領域
２６  制御部
２７  本体制御部
２８  画面表示
２９、３０  仮想円
【図１】
2014182473.tif 000003
【図２】
2014182473.tif 000004
【図３】
2014182473.tif 000005
【図４】
2014182473.tif 000006
【図５】
2014182473.tif 000007
【図６】
2014182473.tif 000008
【図７】
2014182473.tif 000009
【図８】
2014182473.tif 000010
【図９】
2014182473.tif 000011
【図１０】
2014182473.tif 000012
【図１１】
2014182473.tif 000013
【図１２】
2014182473.tif 000014